(57)【要約】【課題】  固定台に対し、引き出し自在、および回転自在で、バランスの良い、安全なハンガー収納具を提供することを目的とする。【解決手段】  中央に空き部を有する固定台と、前記固定台の空き部に収納され、かつその収納位置から前方に運行自在な移動台と、前記移動台上にあって、該移動台に対して回動自在に係合する基台と、前記基台上に平行に架設されているハンガー掛け用の第１の枠と第２の枠とを有するハンガー収納具による。【選択図】  図１
2006025875.tif 000002
【特許請求の範囲】
【請求項１】
中央に空き部を有する固定台と、
前記固定台の空き部に収納され、かつその収納位置から前方に運行自在な移動台と、
前記移動台上にあって、該移動台に対して回動自在に係合する基台と、
前記基台上に平行に架設されているハンガー掛け用の第１の枠と第２の枠とを有することを特徴とするハンガー収納具。
【請求項２】
前記第１の枠と第２の枠とを連結する連結具を備えたことを特徴とする請求項１に記載のハンガー収納具。
【請求項３】
前記連結具は、第１の枠に取り付ける第１の取り付け板と、第２の枠に取り付ける第２の取り付け板と、該第１の取り付け板と第２の取り付け板とを結合する連結板を有することを特徴とする請求項３に記載のハンガー収納具。
【請求項４】
前記連結板の中央部に開口部を１以上形成していることを特徴とする請求項３に記載のハンガー収納具。
【請求項５】
前記移動台の底部には回動輪が設けられていることを特徴とする請求項１乃至４のいずれかに記載のハンガー収納具。
【請求項６】
前記移動台の両側部は前記固定台とスライドレール機構による係合をしていることを特徴とする請求項１乃至５のいずれかに記載のハンガー収納具。
【発明の詳細な説明】
【技術分野】
【０００１】
本発明は、ハンガー収納具に関する。
【背景技術】
【０００２】
ハンガー収納具の基本的な役割としては、限られた場所にできるだけ多くのハンガー、すなわち衣服を収納できることである。しかしながら、単に衣服をたくさん収納することができたとしても、衣服が取り出し難いと衣服が使用されなくなる。これでは、衣服の本来の機能が発揮されないことになってしまう。
【０００３】
そこで、実用新案登録番号２５４２６９０号に示すように、収納効率を上げるだけでなく、衣服の使用効率を上げることを目的としたハンガー収納具が提案されている。
【特許文献１】実用新案登録番号２５４２６９０号
【発明の開示】
【発明が解決しようとする課題】
【０００４】
本願発明者は、さらに簡単な構成で、使い易く、かつ安全なハンガー収納具を鋭意検討してきた。
【０００５】
本発明はかかる点に鑑みて創作されたものであり、固定台に対し、引き出し自在、および回転自在で、バランスの良い、安全なハンガー収納具を提供することを目的とする。
【課題を解決するための手段】
【０００６】
本願発明のハンガー収納具は、中央に空き部を有する固定台と、前記固定台の空き部に収納され、かつその収納位置から前方に運行自在な移動台と、前記移動台上にあって、該移動台に対して回動自在に係合する基台と、前記基台上に平行に架設されている第１の枠と第２の枠とを有し、上記目的を達成する。
【０００７】
前記ハンガー収納具は第１の枠と第２の枠とを連結する連結具を備えたことを特徴とする。
【０００８】
前記ハンガー収納具の連結具は、第１の枠に取り付ける第１の取り付け部と、第２の枠に取り付ける第２の取り付け部と、第１の取り付け部と第２の取り付け部との間に設けられた連結板とを有することを特徴とする。
【０００９】
前記ハンガー収納具の連結具の連結板は、少なくとも、１以上の開口部を備えていることを特徴とする。
【００１０】
前記ハンガー収納具の移動台の底部には回動輪が設けられていることを特徴とする。
【００１１】
前記ハンガー収納具の移動台の両側部は前記固定台とスライドレール機構による係合をしていることを特徴とする。
【発明の効果】
【００１２】
以上のように、本願発明によれば、基台上に平行に架設された枠は、移動台に対して回動自在であり、また移動台は固定台に対して前後に動くことができるので、衣服が遠くにあって、手許に移動台を引き出し、かつ基台を回動させることにより、容易に手許に持ってくることが可能である。
【００１３】
また、平行に架設された２つの枠にバランス良く、衣服を掛けることができるとともに、枠と枠とを連結する連結具を設け、かつ連結具の連結板に１以上の開口を設けることにより、多くの衣服が掛けられて枠が傾いても、本願発明の連結具により、極めて大きな復元力が得られ、元の垂直方向に戻すことができる。
【００１４】
このため、本願発明の連結具によれば、基台の回動性能や移動台の移動性能を劣化させることがないので、安全で、高品質のハンガー収納具を提供することができる。
【発明を実施するための最良の形態】
【００１５】
以下に、本発明の実施の形態について、添付図面を参照しながら詳細に説明する。
【００１６】
（１）本発明の実施形態に係るハンガー収納具についての説明
図１〜図８は、本発明の実施形態に係るハンガー収納具を説明する図であり、図１は固定台１に対して移動台２を少し引き出した状態を示している。。
【００１７】
図において、１はコの字形状のハンガー収納具の固定台であり、床上などに置かれる。２は、固定台１に対して、床上を前後に移動することができる移動台であり、移動台２の底の前方に、一対のキャスタ（回動輪）2a、2bが取り付けられている。さらに、移動台２の側部にはスライドレール機構3aを備え、固定台１の内側側部に、スライドレール機構3aに係合するスライドレール機構3bが備えられている。これにより、移動台２が固定台１に沿って床上を円滑に前後にスライドすることができるようになっている。
【００１８】
４は、移動台２の上に、移動台２に対して回転自在に取り付けられた基台である。機構的には、ベアリングなどによりスライド回転可能に係合した２つのドーナツ型円板（不図示）の一方の円板を移動台２に固定し、他方の円板を基台４に固定した状態にしている。これにより、基台４は移動台２に対して自在に回転することができる。
【００１９】
なお、図２は移動台２に対して基台４を少し回転させた状態を示している。また、図３は、移動台２をコの字形状の固定台１に収納した状態を示す斜視図であり、図４、図５、図６、図７、および図８は、それぞれ図３の正面図、背面図、右側面図、平面図、底面図である。
【００２０】
５と６はほぼ矩形状をした枠で、基台４にネジ留めされて互いに平行に立脚している。枠５の中ほどには棒5aが、上の方には棒5bが備えられており、衣服を掛けたハンガーはこれらの棒に吊らされる。同様に枠６にはハンガーを掛ける棒6a、6bが備えられている。なお、これらの棒は取り外すことができるし、棒の取り付け位置を適宜、変更することもできる。
【００２１】
このように、本願発明の実施形態に係るハンガー収納具によれば、ハンガー掛け棒を備えた２つの枠が平行な状態で基台上に立脚しているので、各枠に均等に衣服を掛けることにより、両枠に掛かる重量のバランスを保つことができる。これにより、基台が移動台に対して回転するときも、どちらかの側に倒れやすいということを防止できる。同様の理由から、移動台が固定台に対して前後に移動するときも円滑な動作を行うことができる。
【００２２】
なお、本願発明の実施形態のハンガー収納具では、枠５と６の間に、連結具７と８を取り付けている。これについては次に説明する。
【００２３】
（２）本願発明の実施形態に係るハンガー収納具の連結具の構成とその効用についての説明
図１では、枠と枠との間を連結する連結具７と８を備えているが、これら連結具７、８がない状態であっても、ハンガーに掛ける衣服が少なく軽いときには、わずかに枠が撓むだけであまり問題はない。
【００２４】
しかし、ハンガーに掛ける衣服が増えると枠が徐々に斜めに傾き、その状態で基台４を回転させると、枠が大きくゆれてバランスが悪いという問題が生じることがわかった。
【００２５】
そこで、図９に示すような構成の枠と枠とを連結する連結具を作製した。図９(a)は連結具を上から見た平面図、図９(b)は図９(a)におけるA-A線の断面図、図９(c)は図９(a)におけるB-B線の断面図である。図において、９は一方の枠に取り付ける取付け板であり、枠の柱の曲面に合うように湾曲しており、上下に枠にネジ留めするための穴9a、9bを形成している。１０は他方の枠に取り付ける取付け板であり、ネジ留め用の穴10a、10bを形成している。また１１は取付け板９と１０とを連結する連結板であり、溶接により取付け板９の舌状部9cおよび取付け板１０の舌状部10cで固着している。連結板の長さは枠と枠との間隔に応じて決められる。なお、連結板１１の両側端は、使用上の安全を図るため曲げてある。
【００２６】
このような連結具を枠と枠との間に取り付けると、多くの衣服を掛けても枠の傾きを大幅に抑えることができた。従って、その状態で基台４を回転させても、バランスが悪いという問題を生じることはなかった。
【００２７】
ところが、図９の連結具を備えたハンガー収納具において、片方の枠に多くの衣服を掛けて傾かせた枠は、衣服を取り除いても、元の垂直な位置には戻り難いという実用上、看過できない問題があることを本願発明者は発見した。片方の枠に衣服を掛け過ぎた枠が傾くのはやむを得ないとしても、一旦、傾いた枠が元の位置に戻り難いことは、日常生活で使用する使用者にとってみれば、非常に使いづらいことになってしまう。
【００２８】
そこで、本願発明者はさらに検討を重ねた結果、図１０に示すような構成の連結具を案出した。図１０(a)は連結具を上から見た平面図、図１０(b)は図１０(a)におけるC-C線の断面図、図１０(c)は図１０(a)におけるD-D線の断面図である。図において、１２は一方の枠に取り付ける取付け板であり、枠の柱の曲面に合うように湾曲しており、枠にネジ留めするための穴12a、12bを形成している。１３は他方の枠に取り付ける取付け板であり、同様にネジ留め用の穴13a、13bを形成している。また１４は取付け板１２と１３とを連結する連結板であり、溶接により取付け板１２のおよび取付け板１３に固着している。なお、連結板１４の両側端は、使用上の安全を図るため曲げてある。
【００２９】
本願発明者は、図１０に示す連結板に開口を設けた連結具の効果を定量的に確認するために、図９に示す開口を設けていない連結具と比較する実験を行った。図１１は図９に示す開口の無い連結具を使用した場合の実験を説明する図、図１２は図１０に示す開口のある連結具を使用した場合の実験を説明する図である。
【００３０】
まず、図１１(a)に示すように、両方の枠に何も負荷を掛けない状態において、紐の先に錘を吊るして傾きの尺度となる基準点を特定しておいた。次に、図１１(b)に示すように、枠が故意に傾くように、一方の側の枠の上のハンガー掛け棒と、中ほどのハンガー掛け棒にそれぞれ２０ｋｇの鉛を吊るし、他方の側の枠には何も吊るさない状態にした。そのとき枠は鉛を吊るした側に傾き、そのずれを測定したところ、錘の先は基準点から約３０ｍｍ右側に移動した（図１１(b)）。実験では48時間そのままの状態を保ち、その後に、鉛を除去して再びずれを測定した。その結果、図１１(c)に示すように、鉛を取り除いた後も約２０ｍｍのずれが残った。
【００３１】
次に、図１０に示す開口を設けた連結具を使用した場合を、図１２を参照して説明する。
【００３２】
まず、図１２(a)に示すように、両方の枠に何も負荷を掛けない状態において、紐の先に錘を吊るして傾きの尺度となる基準点を特定した。次に、図１２(b)に示すように、枠が故意に傾くように、一方の側の枠の上のハンガー掛け棒と、中ほどのハンガー掛け棒にそれぞれ２０ｋｇの鉛を吊るし、他方の側の枠は何も吊るさない状態にした。その結果、枠は鉛を吊るした側に傾き、錘の先は基準点から約３０ｍｍ右側にずれた（図１２(b)）。そして、そのままの状態を48時間保ち、その後に、鉛を除去して再びずれを測定した。その結果、図１２(c)に示すように、傾いていた枠は元の位置に戻った。すなわち、ずれは無くなった。
【００３３】
このように、連結板に開口を設けることにより、両枠に掛けた衣服の重量が異なって枠のバランスが崩れたとしても、必ず元の位置に戻す大きな復元力を得ることができる。これにより、常に円滑な移動台の運行および基台の回転を行う高品質で信頼性の高いハンガー収納具を提供することが可能となる。
【００３４】
なお、実施の形態では、開口数を２つにしているが、連結板の長さによっても変わるものであり、特定の開口数に限定されるわけではない。また、開口の形状を円形にしているが、楕円でも多角形でもよい。
【００３５】
図１３は、本願発明の実施形態に係るハンガー収納具を複数個、並べた状態を示す図である。このように本願発明の実施形態に係るハンガー収納具を、たとえば、ウオーキングクローゼットに並べて配置しておけば、たくさんの衣服の中から特定の衣服を容易に選択することができ、また収納することができるので、非常に便利である。
【図面の簡単な説明】
【００３６】
【図１】本発明の実施形態に係るハンガー収納具を引出した状態を示す図である。
【図２】本発明の実施形態に係るハンガー収納具を回転した状態を示す図である。
【図３】本発明の実施形態に係るハンガー収納具を収納した状態を示す図である。
【図４】図３の正面図を示す図である。
【図５】図３の背面図を示す図である。
【図６】図３の右側面図を示す図である。
【図７】図３の平面図を示す図である。
【図８】図３の底面図を示す図である。る図である。
【図９】開口が形成されていない連結具の構成を示す図である。
【図１０】開口が形成されている連結具の構成を示す図である。
【図１１】図９の連結具を用いたときの、枠の復元力の測定を説明する図である。
【図１２】図１０の連結具を用いたときの、枠の復元力の測定を説明する図である。
【図１３】本願発明の実施形態に係るハンガー収納具の使用例を説明する図である。
【符号の説明】
【００３７】
１・・・固定台、
２・・・移動台、
2a, 2b・・・キャスタ（回動輪）、
3a・・・移動台側のスライドレール機構、
3b・・・固定台側のスライドレール機構、
４・・・基台、
５, ６・・・枠、
5a, 5b, 6a, 6b・・・ハンガー掛け棒、
７，８・・・連結具、
９，１０、１２，１３・・・取付け板、
１１・・・開口のない連結板、
１４・・・開口を設けた連結板、
14a, 14b・・・開口。
【図１】
2006025875.tif 000003
【図２】
2006025875.tif 000004
【図３】
2006025875.tif 000005
【図４】
2006025875.tif 000006
【図５】
2006025875.tif 000007
【図６】
2006025875.tif 000008
【図７】
2006025875.tif 000009
【図８】
2006025875.tif 000010
【図９】
2006025875.tif 000011
【図１０】
2006025875.tif 000012
【図１１】
2006025875.tif 000013
【図１２】
2006025875.tif 000014
【図１３】
2006025875.tif 000015